(57)【特許請求の範囲】
【請求項１】
監視カメラ（６０）を装着するための装着ブラケット（１０）であって、
前記監視カメラ（６０）をスライドして受容するように適合されたアルコーブ（２０）と、
前記監視カメラ（６０）を第１の壁と第２の壁（１、２）によって形成されたコーナーに装着することが意図されている場合に使用するように適合された、第１の装着構造（３０）であって、互いに角度（γ）を付けて配設された第１の装着表面（３１）及び第２の装着表面（３２）を備え、前記第１の装着表面（３１）は前記第１の壁（１）に取り付けられて当接するように適合され、前記第２の装着表面（３２）は前記第２の壁（２）に取り付けられて当接するように適合された第１の装着構造（３０）と、
前記監視カメラ（６０）を壁（３）に装着することが意図されている場合に使用するように適合された第２の装着構造（４０）であって、前記壁（３）に取り付けられて当接するように適合された第３の装着表面（４３）を備える第２の装着構造（４０）とを備え、
前記アルコーブ（２０）は、第４の表面（２４）及び第５の表面（２５）を備え、前記第４の表面（２４）と前記第５の表面（２５）は、内側を向いた２つの対向する側面を形成し、前記第１の装着表面（３１）及び前記第２の装着表面（３２）のそれぞれの１つから、前記壁（３）または前記コーナー（１、２）から離れて延びるような方向に前記第３の装着表面（４３）に対して角度（φ）を付けて各々延びており、前記アルコーブ（２０）の２つの側面（２４、２５）は、前記監視カメラ（６０）の、外側を向いた２つの対向する側面（６１、６２）とスライドして係合するように適合されており、ここで、
（ａ）前記第４の表面（２４）及び前記第５の表面（２５）にはそれぞれ、上側舌状部（２４ｂ、２５ｂ）が設けられ、前記上側舌状部（２４ｂ、２５ｂ）は、前記装着ブラケット（１０）が前記壁（３）または前記コーナー（１、２）に装着されたときに、それぞれ前記第４の表面（２４）及び前記第５の表面（２５）から上方に延びるように、かつ前記監視カメラ（６０）の、各上側舌状部（２４ｂ、２５ｂ）の一つに関連付けられた、下方を向いている上側窪み（６４ｂ、６５ｂ）に挿入され、前記上側窪み（６４ｂ、６５ｂ）と相互作用するように適合され、前記上側舌状部（２４ｂ、２５ｂ）と前記上側窪み（６４ｂ、６５ｂ）との間の前記相互作用は、前記監視カメラ（６０）が水平方向の動き（Ｈ）で前記第４の表面（２４）と前記第５の表面（２５）との間から取り外されるのを防止するように適合されている、かつ／または
（ｂ）前記装着ブラケット（１０）にはそれぞれ、前記アルコーブ（２０）の底部に配置された少なくとも１つの下側舌状部（５６、５７）が設けられ、前記少なくとも１つの下側舌状部（５６、５７）は、前記装着ブラケット（１０）が前記壁（３）または前記コーナー（１、２）に装着されたときに、前記底部から上方に延びるように、かつ前記監視カメラ（６０）の、各下側舌状部（５６、５７）の少なくとも一つに関連付けられた、下方を向いている下側窪み（６６、６７）に挿入され、前記下側窪み（６６、６７）と相互作用するように適合され、前記下側舌状部（５６、５７）と前記下側窪み（６６、６７）との間の前記相互作用は、前記監視カメラ（６０）が水平方向の動き（Ｈ）で前記第４の表面（２４）と前記第５の表面（２５）との間から取り外されるのを防止するように適合されている、
装着ブラケット（１０）。
【請求項２】
前記装着ブラケット（１０）がコーナーに装着される場合に、前記第１の壁（１）と前記第２の壁（２）と前記第３の装着表面（４３）によって、三角形の断面を有するプリズム状の空間（７０）が画定されるように、前記第１の装着表面（３１）と前記第２の装着表面（３２）のそれぞれは、前記壁（３）または前記コーナー（１、２）から離れて延びるような方向に前記第３の装着表面（４３）に対して角度（δ）を付けて延びる、請求項１に記載の装着ブラケット（１０）。
【請求項３】
前記第１の装着表面（３１）は、前記第３の装着表面（４３）の第１の辺（４３ａ）に沿って延びており、前記第２の装着表面（３２）は、前記第３の装着表面（４３）の、前記第１の辺（４３ａ）とは反対の第２の辺（４３ｂ）に沿って延びている、請求項１または２に記載の装着ブラケット（１０）。
【請求項４】
前記装着ブラケット（１０）が前記壁（３）または前記コーナー（１、２）に装着される場合、前記第４の表面（２４）及び前記第５の表面（２５）は、それぞれ垂直の伸長部を有する各平面（２４’、２５’）内に延びるように適合され、前記第４の表面（２４）と前記第５の表面（２５）は互いに平行である、請求項１から３のいずれか一項に記載の装着ブラケット（１０）。
【請求項５】
前記下側舌状部（５６）は、第１の方向（Ｄ’）に沿った主伸長部を有し、前記第１の方向（Ｄ’）に対して垂直な横方向（Ｔ）の伸長部を有する突起（５６ｂ）が備えられており、前記下側舌状部（５６）は、前記横方向（Ｔ）に弾性的に可撓であり、それによって、前記監視カメラ（６０）の前記下側窪み（６６）の横方向に配向された端部（６６ｂ）とのスナップロック動作が提供され、前記監視カメラ（６０）が前記アルコーブ（２０）から垂直に上方（Ｖ）に動かされるのを防止する、請求項１から４のいずれか一項に記載の装着ブラケット（１０）。
【請求項６】
前記ブラケット（１０）は、前記第３の装着表面（４３）、前記第１及び第２の装着表面（３１、３２）、並びに前記第４及び第５の表面（２４、２５）に隣接する底壁（５０）をさらに備える、請求項１から５のいずれか一項に記載の装着ブラケット（１０）。
【請求項７】
前記底壁（５０）には貫通開口部（５１）が設けられている、請求項６に記載の装着ブラケット（１０）。
【請求項８】
前記第１の装着表面（３１）を形成する第１の壁部材（３１）、及び前記第２の装着表面（３２）を形成する第２の壁部材（３２）には、それぞれ１つ以上の貫通開口部（３１ａ、３２ａ）が設けられており、前記ブラケットをコーナー（１、２）に装着しようとする場合に、前記装着ブラケット（１０）を前記第１の壁（１）に当接して前記第１の装着表面（３１）に取り付けるため、１つ以上の締結具（７１）が、前記第１の壁部材（３１）内の前記１つ以上の貫通開口部（３１ａ）を通って延びるように適合されており、前記装着ブラケット（１０）を前記第２の壁（２）に当接して前記第２の装着表面（３２）に取り付けるため、１つ以上の締結具（７２）が、前記第２の壁部材（３２）内の前記１つ以上の貫通開口部（３２ａ）を通って延びるように適合されている、請求項１から７のいずれか一項に記載の装着ブラケット。
【請求項９】
前記第３の装着表面（４３）を形成している第３の壁部材（４３）には、１つ以上の貫通開口部（４３ｃ）が設けられ、前記装着ブラケット（１０）を前記壁（３）に装着しようとする場合に、１つ以上の締結具（７３）が、前記装着ブラケット（１０）を前記壁（３）に当接して前記第３の装着表面（４３）に取り付けるための前記１つ以上の貫通開口部（４３ｃ）を通って延びるように適合されている、請求項１から８のいずれか一項に記載の装着ブラケット（１０）。
【請求項１０】
前記第４の表面を形成する第４の壁部材（２４）、及び／または前記第５の表面を形成する第５の壁部材（２５）は、前記監視カメラ（６０）上の、１つ以上の関連付けられた押圧可能なボタン（６４ｃ、６４ｄ）と相互作用するように適合された、１つ以上の弾性的に押圧可能な部分（２４ｃ、２４ｄ）を備え、それによって、前記１つ以上のボタン（６４ｃ、６４ｄ）が前記装着ブラケット（１０）の前記アルコーブ（２０）の内部に隠れていても操作可能なように適合されている、請求項１から９のいずれか一項に記載の装着ブラケット（１０）。
【請求項１１】
前記アルコーブ（２０）は監視カメラ（６０）を固定装着位置に受容するように適合されており、前記第１の装着構造（３０）及び前記第２の装着構造（４０）は、前記アルコーブ（２０）に対して傾斜しており、それによって、前記壁（３）または前記コーナー（１、２）に対する固定装着角（β）が設けられ、前記装着位置では、前記カメラ（６０）は、視野が前記壁（３）またはコーナー（１、２）から離れて配向され下方に傾斜して、前記壁（３）またはコーナー（１、２）に対して傾斜するように適合されている、請求項１から１０のいずれか一項に記載の装着ブラケット（１０）。
【請求項１２】
請求項１から１１のいずれか一項に記載の装着ブラケット（１０）と、前記装着ブラケット（１０）の前記アルコーブ（２０）内にスライドして受容されるように適合された外側エンベロープ（６１、６２）を有する監視カメラ（６０）とを備えるシステム。
【発明の詳細な説明】
【技術分野】
【０００１】
本発明は、監視カメラ装着用の装着ブラケットに関する。本発明はまた、装着ブラケットと監視カメラを含むシステムにも関する。
【背景技術】
【０００２】
監視カメラは通常、天井に、または天井付近の、壁にもしくは２つの壁で形成されたコーナーに装着される。この位置は通常、監視目的で遮られない視界の提供を可能にするのに便利である。
【０００３】
監視カメラの装着用の装着システムを設計する際、設計者は、数々の異なる側面を考慮に入れる必要がある。設計者は、例えば、設置作業者が壁の所望の位置にカメラを設置しやすいようにすること、装着システムによってカメラが所定の位置に確実に保持されるようにすること、装着システムの製造が容易で費用対効果が良いことを、考慮に入れる必要がある。
【０００４】
ＵＳ６，０１５，１２３は、様々な異なる支持構造体に対してカメラベースを装着する、装着システムを開示している。この装着システムには、壁またはコーナーに取り付け得る、精巧に設計された装着ブラケットが含まれている。この装着システムは、装着ブラケットに取り付けられるように適合された、カメラベースをさらに備えている。次いで、カメラベースがカメラを支持するように適合されている。
【０００５】
ＵＳ８，３９８，３１６は、防犯カメラをドア、窓枠、フェンス、または、上端とそこから延びる２つの側端を有する任意の他の装置もしくは構成要素に装着するためのブラケットを開示している。
【０００６】
ＵＳ４，７０９，８９７は、サーベイランスカメラのマウントを開示している。このマウントは、中空のハウジングを画定するブラケット及びベースを備えている。このハウジングは、マウントが基本的にいたずら防止機構付きになるように形成されている。
【０００７】
別の技術分野では、動作検出装置の装着に関連して、動作検出装置を壁またはコーナーに取り付けることが知られている。こうした設計においては、設置作業者は、まずフロントカバーを取り外すことによって動作検出装置を分解し、続いて回路基板を取り外すことによってバックカバーを露出させる。バックカバーが壁に取り付けられると、次いで設置作業者が回路基板を再設置しバッテリを入れることによって動作検出装置が再組立てされ、続いてフロントカバーが再び取り付けられる。
【発明の概要】
【０００８】
本発明の目的は、監視カメラの装着の問題に対して、有用な解決法を提供することである。
【０００９】
この目的は、監視カメラの装着用の装着ブラケットによって達成されてきた。装着ブラケットは、前記監視カメラをスライドして受容するように適合されたアルコーブまたはポケットと、監視カメラを第１の壁と第２の壁によって形成されたコーナーに装着することが意図されている場合に使用するように適合された、第１の装着構造であって、互いに角度を付けて配設された第１の装着表面及び第２の装着表面を備え、第１の装着表面は第１の壁に取り付けられて当接するように適合され、第２の装着表面は第２の壁に取り付けられて当接するように適合された第１の装着構造と、前記監視カメラを壁に装着することが意図されている場合に使用するように適合された第２の装着構造であって、第３の壁に取り付けられて当接するように適合された第３の装着表面を備える第２の装着構造とを、備える。
【００１０】
こうすれば、監視カメラを壁に、または第１の壁と第２の壁によって形成されたコーナーに、選択的に設置することが容易である。設置作業者は、例えば第１の表面を通って第１の壁内へネジをネジ止めすることによって、及び／または第２の表面を通って第２の壁内へネジをネジ止めすることによって、簡単に装着ブラケットを取り付ける。その後、設置作業者は、単に装着ブラケットのアルコーブ内の所定の場所に、監視カメラをスライドさせる。
【００１１】
監視カメラを壁に設置することが意図されている場合、設置作業者は、例えば第３の表面を通って壁内へネジをネジ止めすることによって、簡単に装着ブラケットを取り付ける。その後、設置作業者は、装着ブラケットのアルコーブ内の所定の場所に、監視カメラを簡単にスライドさせる。
【００１２】
このように、装着ブラケットの設計によって、壁への装着の場合とコーナーへの装着の場合の両方で、設置作業者による監視カメラの設置が簡単になっている。
【００１３】
装着ブラケットの取り付けにネジを使用するのが一例であることは、留意されてよい。１または複数の壁への装着ブラケットの取り付けには、他の方法もある。
【００１４】
一代替方法によれば、装着ブラケットは、接着テープといった接着剤を用いて取り付けられてよい。装着ブラケットがコーナーに設置される場合には、テープは、第１の表面と第１の壁との間、及び／または、第２の表面と第２の壁との間に提供されてよい。装着ブラケットが壁に設置される場合には、テープは、第３の表面と壁との間に提供されてよい。
【００１５】
例えば、接着テープが装着ブラケットの表面にあらかじめ接着され、運搬中は保護用非接着性ストリップで保護されていてよい。設置場所では、設置作業者は、壁に取り付けることが意図されている表面の保護用ストリップを簡単に取り除き、それによって装着予定表面上の接着テープを露出させる。次いで、装着ブラケットは、壁またはコーナーの所定の場所に押し付けられ、それによって露出している接着テープが１または複数の壁に付着する。
【００１６】
監視カメラは、大体において水平方向の動作を用いて、アルコーブ内で所定の場所にスライドされ得る。それによって、監視カメラが天井に近接して設置され得る。カメラと、アルコーブといった装着ブラケットとの間で相互作用を設計することもまた、有用である。なぜならば、それによって、開放式装着ブラケットが提供され、その結果、カメラの電子回路の冷却用の空気流を通気することができるようになる可能性が提供されるからである。
【００１７】
第１の装着表面と第２の装着表面のそれぞれは、壁またはコーナーから離れて延びるような方向に第３の装着表面に対して角度を付けて延び、それによって、装着ブラケットがコーナーに装着される場合に、第１の壁と第２の壁と第３の装着表面によって、（上から見たときに）三角形の断面を有するプリズム状の空間が画定されてよい。２つの異なる装着モード（壁またはコーナー）が、外殻の一部として容易に設計される３つの表面で簡単に提供されるため、この設計は好適である。第１の表面及び第２の表面は、好ましくは約９０°の角度で交差する２つの平面に沿って延びている。
【００１８】
第１の装着表面は、第３の装着表面の第１の辺に沿って延びていてよく、第２の装着表面は、第３の装着表面の（第１の辺とは反対の）第２の辺に沿って延びていてよい。これによって、コンパクトで強固な設計が提供される。
【００１９】
アルコーブは、第４の表面及び第５の表面を備え、第４の表面と第５の表面は、内側を向いた２つの対向する側面を形成し、第１の装着表面及び第２の装着表面のそれぞれの１つから、壁またはコーナーから離れて延びるような方向に第３の装着表面に対して角度を付けてそれぞれ延びており、アルコーブの２つの側面は、監視カメラの、外側を向いた２つの対向する側面とスライドして係合するように適合されている。こうすれば、第４の表面、第１の表面、第３の表面、第２の表面、第５の表面という順で次々と外殻を形成するように配列された表面を有する外殻として、装着ブラケットを設計することが容易である。「表面」という用語が、実際に稼働しているか、または機能を有する表面を意味するために使われていることは、留意されてよい。壁への当接に関して言えば、壁に当接するのは、装着ブラケットの種々の部分の外表面または裏面である。アルコーブの第４の表面及び第５の表面に関して言えば、カメラに当接するのは、これらの部分の内表面である。
【００２０】
ブラケットが壁またはコーナーに装着される場合、第４の表面及び第５の表面は、それぞれ垂直の伸長部を有する各平面内に延びるように適合されていてよく、第４の表面と第５の表面は、互いに平行であってよい。そうすることで、この設計によって、前記監視カメラを水平方向の動きで第４の表面と第５の表面との間に挿入することが可能になる。第４の表面及び第５の表面は、厳密に互いに対して平行である必要はないことは、留意されるべきである。一代替形態では、第４の表面及び第５の表面それぞれの自由端は互いに向かってわずかに傾いており、こうしたケースでは、好ましくはこれらの面は弾性的に可撓である。それによって、前記監視カメラを水平方向の動きで第４の表面と第５の表面との間に挿入することが可能になる。弾性は、アルコーブ内でカメラを所定の位置に確実に保持するために利用される。これらの平面は垂直の伸長部を有するが、それぞれの表面の自由端が垂直に延びていなくてよいことも、留意されるべきである。例えば図面で開示されているものといった、ある実施形態では、両表面の自由端は傾斜しており、それによってこの自由端は、壁から離れて下方を向いている。第４の表面及び第５の表面によって、水平方向の動きでカメラをアルコーブ内に挿入することが可能になるため、カメラを天井に近接して装着することが可能になる。
【００２１】
第４の表面及び第５の表面にはそれぞれ、ブラケットが壁またはコーナーに装着されたときに、それぞれ第４の表面及び第５の表面から上方に延びるように、かつ前記監視カメラの、各上側舌状部の一つに関連付けられた、下方を向いている上側窪みに挿入され、この上側窪みと相互作用するように適合された上側舌状部であって、上側舌状部と上側窪みとの間の相互作用は、前記監視カメラが水平方向の動きで第４の表面と第５の表面との間から取り外されるのを防止するように適合された、上側舌状部が設けられていてよい。こうした上方に延びている上側舌状部を有する装着ブラケットを提供することによって、カメラは、重力のみを利用して所定の場所に保持され得る。こうした舌状部を設けることによって、アルコーブ内におけるカメラの確実な配置を確保しつつ、なおカメラを大体において水平な方向に沿って挿入できるようにする可能性もまた提供される。唯一必要な垂直の動きは、上方に延びている上側舌状部が、窪みを取り囲むカメラの部分を通過できるようにし、それによって舌状部がカメラの窪みと位置合わせされるようにするための、短距離の動きである。
【００２２】
ブラケットにはそれぞれ、アルコーブの底部に配置され、ブラケットが壁またはコーナーに装着されたときに、この底部から上方に延びるように、かつ前記監視カメラの、各下側舌状部の少なくとも一つに関連付けられた、下方を向いている下側窪みに挿入され、この下側窪みと相互作用するように適合された少なくとも１つの下側舌状部であって、下側舌状部と下側窪みとの間の相互作用は、前記監視カメラが水平方向の動きで第４の表面と第５の表面との間から取り外されるのを防止するように適合された、少なくとも１つの下側舌状部がさらに設けられていてよい。こうした上方に延びる下側舌状部を有する装着ブラケットを提供することによって、カメラは、重力のみを利用して所定の場所に保持され得る。こうした舌状部を設けることによって、アルコーブ内におけるカメラの確実な配置を提供しつつ、なおカメラを大体において水平な方向に沿って挿入できるようにする可能性もまた提供される。唯一必要な垂直の動きは、上方に延びている下側舌状部が、窪みを取り囲むカメラの部分を通過できるようにし、それによって舌状部がカメラの窪みと位置合わせされるようにするための、短距離の動きである。
【００２３】
下側舌状部は、第１の方向に沿った主伸長部を有し得、第１の方向に対して横方向の伸長部を有する突起が備えられていてよい。下側舌状部は、この横方向に弾性的に可撓であり、それによって、前記監視カメラの下側窪みの横方向に配向された端部とのスナップロック動作が提供され、監視カメラがアルコーブから垂直に上方に動かされるのを防止することが可能である。こうすれば、カメラはアルコーブ内で所定の場所に確実に保持される。さらに、スナップロックによって、カメラがアルコーブ内で正しく配置されたことに関するフィードバックが、設置作業者に対して提供され得る。
【００２４】
ブラケットはさらに、第３の表面、第１及び第２の表面、並びに第４及び第５の表面に隣接する底壁を備え得る。これによって、ブラケットの顕著な強度向上と形状安定性が提供される。
【００２５】
底壁には、貫通開口部が設けられていてよい。この開口部は、ケーブル用、及び通風用に利用されてよい。
【００２６】
第１の表面を形成する第１の壁部材、及び第２の表面を形成する第２の壁部材には、それぞれ１つ以上の貫通開口部が設けられていてよく、ブラケットをコーナーに取り付けることが意図されている場合、ブラケットを第１の壁に当接して第１の表面に取り付けるため、１つ以上の締結具が、第１の壁部材内の前記１つ以上の貫通開口部を通って延びるように適合されており、ブラケットを第２の壁に当接して第２の表面に取り付けるため、１つ以上の締結具が、第２の壁部材内の前記１つ以上の貫通開口部を通って延びるように適合されている。これによって、ブラケットの設計は簡単になり、設置作業者の設置工程も簡単になる。開口部は円形であってよく、ブラケットが壁の所定の場所に保持されている間、ネジといった締結具がこの開口部を通って挿入されてよい。この開口部は、締結具が開口部の壁によって所定の位置に保持され、それによって設置作業者はただブラケットだけを保持すればよいように設計されていてよい。好適な実施形態では、この開口部は鍵穴型であり、下側の大型部は締結具の頭部よりも大きく、上側の狭隘部は締結具の頭部よりも小さい。これによって、設置作業者は、締結具を壁に取り付け、その後に、既に取り付けられている締結具に対してブラケットを取り付けることで、ブラケットを正しい位置に置くことができる。
【００２７】
第３の表面を形成している第３の壁部材には、１つ以上の貫通開口部が設けられ、ブラケットを壁に装着することが意図されている場合、１つ以上の締結具が、壁に当接して第３の表面にブラケットを取り付けるための前記１つ以上の貫通開口部を通って延びるように適合されていてよい。これによって、ブラケットの設計は簡単になり、設置作業者の設置工程も簡単になる。開口部は円形であってよく、ブラケットが壁の所定の場所に保持されている間、ネジといった締結具がこの開口部を通って挿入されてよい。この開口部は、ネジが開口部の壁によって所定の位置に保持され、それによって設置作業者はただブラケットだけを保持すればよいように設計されていてよい。好適な実施形態では、この開口部は鍵穴型であり、下側の大型部は締結具の頭部よりも大きく、上側の狭隘部は締結具の頭部よりも小さい。これによって、設置作業者は、締結具を壁に取り付け、その後に、既に取り付けられている締結具に対してブラケットを取り付けることで、ブラケットを正しい位置に置くことができる。
【００２８】
第４の表面を形成する第４の壁部材、及び／または第５の表面を形成する第５の壁部材は、前記監視カメラ上の、１つ以上の関連付けられた押圧可能なボタンと相互作用するように適合された、１つ以上の弾性的に押圧可能な部分を備え、それによって、前記１つ以上のボタンが装着ブラケットのアルコーブの内部に隠れていても操作可能なように適合されていてよい。こうすれば、スライド機能を提供しつつ、なおカメラの設置作業者またはユーザが、カメラをブラケットから取り外す必要なしにカメラを操作しやすいようにして、カメラとアルコーブの壁とを設計することが容易である。
【００２９】
アルコーブは監視カメラを固定装着位置に受容するように適合されていてよく、第１の装着構造及び第２の装着構造は、アルコーブに対して傾斜していており、それによって、壁またはコーナーに対する固定装着角（b）が設けられてよい。前記装着位置では、カメラは、視野が壁またはコーナーから離れて配向され下方に傾斜して、壁またはコーナーに対して傾斜するように適合されている。壁に対する固定装着角によって、カメラの垂直視野角（a）の上限が天井と平行になるようにした装着を保証することが可能になる。これによって、天井のランプからの光によってカメラが見えなくなってしまわないことを保証するのが容易になる。固定装着角は、装着ブラケットに設置することが意図されたカメラの、垂直視野角に適合されている。このように、装着角は、意図された光学機器に対して適合されるべきである。
【００３０】
上記の目的は、装着ブラケットと、装着ブラケットのアルコーブ内にスライドして受容されるように適合された外側エンベロープを有する監視カメラとを備えるシステムによってもまた、達成されてきた。
【００３１】
本発明は、例示のため、本発明の好適な実施形態が示される添付の概略図を参照して、より詳細に記載される。
【図面の簡単な説明】
【００３２】
【図１】組み立てられていない状態のカメラ及び装着ブラケットの前面斜視図である。
【図２】組み立てられていない状態の図１のカメラ及び装着ブラケットの、第１の後面斜視図である。
【図３】組み立てられていない状態の図１のカメラ及び装着ブラケットの、第２の後面斜視図である。
【図４】組み立てられていない状態の図１のカメラ及び装着ブラケットの側面図である。
【図５】図５ａは、カメラと装着ブラケットが壁に装着されている、組み立てられた状態の図１のカメラ及び装着ブラケットの側面図である。図５ｂは、図５ａのカメラ及び装着ブラケットの上面斜視図である。
【図６ａ】カメラと装着ブラケットがコーナーに装着されている、組み立てられた状態の図１のカメラ及び装着ブラケットの上面図である。
【図６ｂ】図６ａのカメラ及び装着ブラケットの斜視図である。
【発明を実施するための形態】
【００３３】
図１を参照すると、監視カメラ６０を装着する装着ブラケット１０が開示されている。図６ａ〜ｂに示すように、装着ブラケット１０は、第１の壁１及び第２の壁２によって形成されたコーナーへの監視カメラ６０の装着を可能にするように適合されている。図５ａ〜ｂに示すように、装着ブラケット１０は、壁３への監視カメラ６０の装着を可能にするようにもまた適合されている。
【００３４】
装着ブラケット１０は、前記監視カメラ６０をスライドして受容するように適合されたアルコーブ２０を備える。
【００３５】
装着ブラケット１０は、監視カメラ６０を第１の壁１及び第２の壁２によって形成されたコーナーに装着することが意図されている場合に使用するように適合された、第１の装着構造３０をさらに備える。第１の装着構造は、互いに対して角度γで配列された、第１の装着表面３１及び第２の装着表面３２を備える。第１の装着表面３１は平面Ｐ１に沿って延び、第２の装着表面は平面Ｐ２に沿って延び、平面Ｐ１と平面Ｐ２とは、約９０°の角度で交差している。図６ａに示すように、第１の装着表面３１は、第１の壁１に取り付けられて当接するように適合されており、第２の装着表面３２は、第２の壁２に取り付けられて当接するように適合されている。図６ａに示すように、この取り付けは、ネジ７１、７２を用いて実施され得る。
【００３６】
装着ブラケット１０は、前記監視カメラ６０を壁３に装着することが意図されている場合に使用するように適合された、第２の装着構造４０をさらに備える。第２の装着構造４０は、第３の壁３に取り付けられて当接するように適合されている、第３の装着表面４３を備える。図５ａに示すように、この取り付けは、１つ以上のネジ７３を用いて実施され得る。
【００３７】
第１の装着表面３１と第２の装着表面３２のそれぞれは、壁３またはコーナー１、２から離れて延びるような方向に第３の装着表面４３に対して角度δを付けて延び、それによって、装着ブラケット１０がコーナーに装着される場合に、第１の壁１と第２の壁２と第３の装着表面４３によって、（例えば図６ａに示すように）三角形の断面を有するプリズム状の空間７０が画定されてよい。
【００３８】
図２及び３に示すように、第１の装着表面３１は、第３の装着表面４３の第１の辺４３ａに沿って延びており、第２の装着表面３２は、第３の装着表面４３の（第１の辺４３ａとは反対の）第２の辺４３ｂに沿って延びていてよい。
【００３９】
図１に示すように、アルコーブ２０は第４の表面２４及び第５の表面２５を備える。第４の表面２４と第５の表面２５は、２つの対向する、内側を向いたアルコーブ２０の側表面を形成する。第４の表面２４及び第５の表面２５は、第１の装着表面３１及び第２の装着表面３２のそれぞれの１つから、壁３またはコーナー１、２から離れて延びるような方向に第３の装着表面４３に対して角度φを付けて、それぞれ延びている。アルコーブ２０の２つの側表面２４、２５は、監視カメラ６０の、外側を向いた対向する２つの側面６１、６２とスライドして係合するように適合されている。
【００４０】
装着ブラケット１０はさらに、第３の表面４３、第１及び第２の表面３１、３２、並びに第４及び第５の表面２４、２５に隣接する底壁５０を備え得る。底壁５０には、ケーブル用、及び通風提供用に利用されてよい貫通開口部５１が設けられている。
【００４１】
装着ブラケットは、第４の表面２４、第１の表面２５、第３の表面３１、第２の表面３２、第５の表面２５という順で次々と外殻を形成するように配列された表面を有する、外殻として設計されている。「表面」という用語が、実際に稼働しているか、または機能を有する表面を意味するために使われていることは、留意されてよい。壁１、２、３への当接に関して言えば、壁１、２、３に当接するのは、装着ブラケット１０の種々の部分の外側または裏側の表面である。アルコーブ２０の第４の表面２４及び第５の表面２５に関して言えば、カメラ６０に当接するのは、これらの部分の内表面である。
【００４２】
装着ブラケット１０が壁３またはコーナー１、２に装着される場合、（図６ａに示すように）第４の表面２４及び第５の表面２５はそれぞれ、垂直の伸長部を有するそれぞれの平面２４’、２５’に延びるように適合されている。第４の表面２４と第５の表面２５は、互いに平行である。第４の表面２４と第５の表面２５は、第３の表面４３に対して垂直である。
【００４３】
装着ブラケット１０の設計によって、監視カメラ６０を、第４の表面２４と第５の表面２５の間に、水平方向の動きＨで挿入することが可能になる。水平の動きが完全に水平でなくてよいことは、留意されるべきである。第４の表面２４及び第５の表面２５の平面２４’、２５’は垂直の伸長部を有するが、表面２４、２５の自由端２４ａ、２４ｂが垂直に延びていなくてよいことも、留意されるべきである。図面で開示される実施形態では、表面２４、２５の自由端２４ａ、２４ｂは傾斜しており、それによって自由端２４ａ、２４ｂは、壁１、２、３から離れて下方に向いている。第４の表面２４及び第５の表面２５は平らであり、それによってカメラ６０の水平方向の動きは妨げられない。監視カメラ６０が、第４の表面２４と第５の表面２５の間を垂直方向にもスライド可能であることも、また留意されてよい。しかし、第４の表面２４及び第５の表面２５によって、水平方向の動きでカメラ６０をアルコーブ２０内に挿入することが可能になるため、カメラ６０を天井４付近に装着することが可能になる。
【００４４】
第４の表面２４及び第５の表面２５にはそれぞれ、装着ブラケット１０が壁３またはコーナー１、２に装着されたときに、それぞれ第４の表面２４及び第５の表面２５から上方に延びるように適合された上側舌状部２４ｂ、２５ｂが設けられている。上側舌状部２４ｂ、２５ｂは、監視カメラ６０の、各上側舌状部２４ｂ、２５ｂの一つに関連付けられた、下方を向いている上側窪み６４ｂ、６５ｂに挿入され、この上側窪み６４ｂ、６５ｂと相互作用するように適合されている。上側舌状部２４ｂ、２５ｂと上側窪み６４ｂ、６５ｂとの間の相互作用は、前記監視カメラ６０が水平方向Ｈの動きで第４の表面２４と第５の表面２５との間から取り外されるのを防止するように適合されている。こうした上方に延びている上側舌状部２４ｂ、２５ｂを有する装着ブラケット１０を提供することによって、カメラ６０は、重力のみを利用して所定の場所に保持され得る。こうした舌状部２４ｂ、２５ｂを設けることによって、アルコーブ２０内におけるカメラ６０の確実な配置を提供しつつ、なおカメラ６０を大体において水平な方向Ｈに沿って挿入できるようにする可能性も、また提供される。
【００４５】
装着ブラケット１０には、アルコーブ２０の底部に配置された、１つ以上の下側舌状部５６、５７がさらに設けられている。開示の設計では、２つの下側舌状部５６、５７が底壁５０に配置されている。２つの下側舌状部５６、５７は、ブラケット１０が壁３またはコーナー１、２に装着されたときに、底壁５０から距離Ｄを上方に延びるように適合されている。２つの下側舌状部５６、５７は、前記監視カメラ６０の、各下側舌状部５６、５７の少なくとも一つに関連付けられた、下方を向いている下側窪み６６、６７に挿入され、この下側窪み６６、６７と相互作用するように適合されている。
【００４６】
下側舌状部５６、５７と下側窪み６６、６７との間の相互作用は、前記監視カメラ６０が水平方向Ｈの動きで第４の表面２４と第５の表面２５との間から取り外されるのを防止するように適合されている。こうした上方に延びている下側舌状部５６、５７を有する装着ブラケット１０を提供することによって、カメラ６０は、重力のみを利用して所定の場所に保持され得る。こうした舌状部５６、５７を設けることによって、アルコーブ内におけるカメラの確実な配置を提供しつつ、なおカメラを大体において水平な方向に沿って挿入できるようにする可能性もまた提供される。
【００４７】
唯一必要な垂直の動きＶは、上方に延びている上側舌状部２４ｂ、２５ｂ、及び下側舌状部５６、５７が、窪み６４ｂ、６５ｂ、６６、６７を取り囲むカメラ６０の部分を通過できるようにし、それによって舌状部２４ｂ、２５ｂ、５６、５７がカメラ６０の窪み６４ｂ、６５ｂ、６６、６７と位置合わせされるようにするための、短距離の動きである。垂直の動きＶは、上側舌状部２４ｂ、２５ｂの垂直伸長部ｄ、及び下側舌状部５６、５７の垂直伸長部Ｄのうちの最大のものよりも、ほんの一部だけ大きいだけでよい。
【００４８】
開示の設計では、下側舌状部５６のうちの１つは、第１の方向Ｄ’に沿った主伸長部を有し、第１の方向Ｄ’に対して横方向Ｔの伸長部を有する突起５６ｂが設けられている（例えば図４を参照）。下側舌状部５６は、横方向Ｔに弾性的に可撓であり、それによって、対応する下側窪み６６内の横方向に配向された端部６６ｂとのスナップロック動作が提供され得る。これによって、監視カメラ６０がアルコーブ２０から垂直に上方に動かされるのを防止することが可能であり、それによって舌状部２４ｂ、２５ｂ、５６、５７と窪み６４ｂ、６５ｂ、６６、６７との相互作用が機能する状態に保たれる。こうすれば、カメラ６０はアルコーブ２０内で所定の場所に保持されることが保証される。さらに、スナップロックによって、カメラ６０がアルコーブ２０内で正しく配置されたことに関するフィードバックが、設置作業者に対して提供され得る。
【００４９】
開示の設計では、第１の表面３１を形成する壁部材及び第２の表面３２を形成する第２の壁部材には、それぞれ１つ以上の貫通開口部３１ａ、３２ａが設けられている。装着ブラケット１０をコーナー１、２に装着することが意図されている場合、ブラケット１０を第１の壁１に当接して第１の表面３１に取り付けるため、締結具７１が、第１の壁部材内の貫通開口部３１ａを通って延びるように適合されており、ブラケット１０を第２の壁２に当接して第２の表面３２に取り付けるため、締結具７２が、第２の壁部材内の貫通開口部３２ａを通って延びるように適合されている。
【００５０】
同様に、第３の表面４３を形成している第３の壁部材には、貫通開口部４３ｃが設けられ、ブラケット１０を壁３に装着することが意図されている場合、締結具７３が、ブラケット１０を壁３に当接して第３の表面４３に取り付けるための貫通開口部４３ｃを通って延びるように適合されている。
【００５１】
開口部は円形であってよく、ブラケットが壁の所定の場所に保持されている間、ネジといった締結具がこの開口部を通って挿入されてよい。この開口部は、締結具が開口部の壁によって所定の位置に保持され、それによって設置作業者はただブラケットだけを保持すればよいように設計されていてよい。開示の実施形態では、開口部は鍵穴型である。図２を参照して、開口部３２ａに関するこの鍵穴型が説明される。開口部３２ａは、締結具７２の頭部よりも大きい下側の大型部３２’と、締結具７２の頭部よりも小さい上側の狭隘部３２’’とを有する。好適な実施形態では、開口部３１ａ、３２ａ、及び４３ｃは、そうした鍵穴型の形状を有する。
【００５２】
開示の設計では、第４の表面２４を形成する第４の壁部材には、前記監視カメラ６０上の、１つ以上の関連付けられた押圧可能なボタン６４ｃ、６４ｄと相互作用するように適合された、２つの弾性的に押圧可能な部分２４ｃ、２４ｄが設けられており、それによって、前記１つ以上のボタン６４ｃ、６４ｄが装着ブラケット１０のアルコーブ２０の内部に隠れていても操作可能なように適合されている。
【００５３】
アルコーブ２０は監視カメラ６０を固定装着位置に受容するように適合されていてよく、第１の装着構造３０及び第２の装着構造４０は、アルコーブ２０に対して傾斜しており、それによって垂直平面内に、壁３またはコーナー１、２に対する固定装着角bが設けられ、前記装着位置では、カメラ６０は、視野が壁１、２、３から離れて配向され下向きに傾斜して、壁３またはコーナー１、２に対して傾斜するように適合されている。壁に対する固定装着角bによって、カメラの垂直視野角aの上限a’が天井４と平行になるようにした装着を保証することが可能になる（図５ａ参照）。角度a及びbが測定される垂直の平面は、壁３と直角の壁用マウント内にある。角度a及びbが測定される垂直の平面は、図６ｂに示すように、コーナーと交差するコーナー用マウント内にある。この配列によって、天井４に装着されたランプからの光によってカメラが見えなくなってしまわないことの保証が容易になる。
【００５４】
本書に記載された実施形態には数々の変形形態があることが考慮されるが、それらもまた、添付の特許請求の範囲によって規定される本発明の範囲の内である。
【００５５】
装着ブラケットの取り付けにネジを使用するのが一例であることは、留意されてよい。１または複数の壁への装着ブラケットの取り付けには、他の方法もある。
【００５６】
一代替方法によれば、装着ブラケットは、接着テープといった接着剤を用いて取り付けられてよい。装着ブラケットがコーナーに設置される場合には、テープは、第１の表面と第１の壁との間、及び／または、第２の表面と第２の壁との間に提供されてよい。装着ブラケットが壁に設置される場合には、テープは、第３の表面と壁との間に提供されてよい。
【００５７】
例えば、接着テープが装着ブラケットの表面にあらかじめ接着され、運搬中は保護用非接着性ストリップで保護されていてよい。設置場所では、設置作業者は、壁に取り付けることが意図されている表面上の保護ストリップを簡単に取り外し、それによって装着予定表面上の接着テープを露出させる。次いで、装着ブラケットは、壁またはコーナーの所定の場所に押し付けられ、それによって露出している接着テープが１または複数の壁に付着する。
【００５８】
第４の表面及び第５の表面は、厳密に互いに対して平行である必要はないことは、留意されるべきである。一代替形態では、第４の表面及び第５の表面それぞれの自由端は互いに向かってわずかに傾いており、こうしたケースでは、好ましくはこれらの面は弾性的に可撓である。それによって、前記監視カメラを水平方向の動きで第４の表面と第５の表面との間に挿入することが可能になる。弾性は、アルコーブ内でカメラを所定の位置に確実に保持するために利用される。
【００５９】
開示の設計では、第４の表面２４を形成する第４の壁部材には、弾性的に押圧可能な部分が設けられている。代替としてまたは補足として、第５の表面を形成する第５の壁部材は、前記監視カメラ上の、１つ以上の関連付けられた押圧可能なボタンと相互作用するように適合された、１つ以上の弾性的に押圧可能な部分を備え、それによって、前記１つ以上のボタンが装着ブラケットのアルコーブの内部に隠れていても操作可能であってよい。弾性的に押圧可能な部分の数は、開示の２とは異なっていてもよい。弾性的に押圧可能な部分の数はまた、ブラケットの別の辺では異なっていてもよい。
【００６０】
装着ブラケット１０は、任意の好適な材料から作られていてよい。例えば射出成形によるプラスチック製であってよく、または、例えば板金折り曲げ加工による金属製であってよい。
【図１】
0006700162.tif 000002
【図２】
0006700162.tif 000003
【図３】
0006700162.tif 000004
【図４】
0006700162.tif 000005
【図５】
0006700162.tif 000006
【図６ａ】
0006700162.tif 000007
【図６ｂ】
0006700162.tif 000008